(57)【要約】【課題】  ブラインドタッチでの操作を可能として操作性の向上が図れると共に、装置本体の小型化が図れる入力装置を提供する。【解決手段】  中央押圧操作部７を介して押圧駆動される中央スイッチ素子部２、４と、中央スイッチ素子部２、４を挟んで両側に対向されて配置され、周辺押圧操作部７を介して押圧駆動される周辺スイッチ素子部３、５とを有し、中央押圧操作部７及び周辺押圧操作部８を可撓性を有する絶縁性の材料で一体的に形成すると共に、周辺押圧操作部８に対して中央押圧操作部７をドーム状に突出させて形成し、周辺押圧操作部８の押し込み操作量に対して、中央押圧操作部７の押し込み操作量を大きくすることにより中央押圧操作部７の押圧時の操作感触と周辺押圧操作部８の押圧時の操作感触とを異ならせた。【選択図】        図１
2005174826.tif 000002
【特許請求の範囲】
【請求項１】
中央固定接点と中央可動接点を有し、この中央可動接点が中央押圧操作部を介して押圧駆動される中央スイッチ素子部と、この中央スイッチ素子部を挟んで両側に対向されて配置された周辺固定接点と周辺可動接点を有し、これらの周辺可動接点が周辺押圧操作部を介して押圧駆動される周辺スイッチ素子部と、前記中央スイッチ素子部及び前記周辺スイッチ素子部を保持する共通の基台と、前記中央押圧操作部及び前記周辺押圧操作部を前記基台に押圧操作可能に保持する枠体とを備え、前記中央押圧操作部及び前記周辺押圧操作部を可撓性を有する絶縁性の材料で一体的に形成すると共に、前記周辺押圧操作部に対して前記中央押圧操作部をドーム状に突出させて形成し、前記周辺押圧操作部の押し込み操作量に対して、前記中央押圧操作部の押し込み操作量を大きくすることにより前記中央押圧操作部の押圧時の操作感触と前記周辺押圧操作部の押圧時の操作感触とを異ならせたことを特徴とする入力装置。
【請求項２】
前記中央可動接点を、弾性変位可能な舌片を有する金属平板ばねで形成し、この金属平板ばねを押圧駆動する前記中央押圧操作部を、反転可能なドーム状のクリックばねで形成したことを特徴とする請求項１記載の入力装置。
【請求項３】
前記周辺可動接点を、反転可能なドーム状の膨出部を有する金属ドームばねで形成し、この金属ドームばねを前記周辺押圧操作部が押圧駆動する際のクリックばねとしたことを特徴とする請求項１記載の入力装置。
【請求項４】
前記中央押圧操作部の下面側には、下方へ突出した環状の脚部を形成し、この脚部を前記基台に位置決めすることにより前記周辺押圧操作部を前記基台の適宜位置に保持したことを特徴とする請求項１乃至３の何れかに記載の入力装置。
【請求項５】
前記基台には、前記中央押圧操作部が配置された周辺近傍に上方へ延出するガイド突部を形成し、このガイド突部で前記中央押圧操作部を押圧操作する操作つまみの昇降ガイドを行なうようにしたことを特徴とする請求項１乃至４の何れかに記載の入力装置。
【発明の詳細な説明】
【技術分野】
【０００１】
本発明は、中央と周辺の２種類の押圧操作が行える複合押圧操作型の入力装置に係り、特に携帯電話やＰＤＡなど薄型のカメラ付き電子機器等に使用して好適な複合押圧操作型の入力装置に関する。
【背景技術】
【０００２】
従来の複合押圧操作型の入力装置としては、上下左右等の方向に複数のキーを配置したカーソルキーの中央部にキートップを配置し、カーソルキーにより機器の操作内容や設定内容を選択して、その選択内容を中央のエンターキーにより決定する複合押圧操作型の入力装置が知られている（例えば、特許文献１参照）。
【０００３】
以下、従来の複合押圧操作型の入力装置の構造を図に基づいて説明する。
図７及び図８は従来の複合押圧操作型の入力装置の構造を示し、図７は入力装置の側面断面図、図８はカーソルキーの平面図である。
【０００４】
図において、カーソルキー２６は、上下キートップ３１、３２、及び左右キートップ３３、３４と、中央キートップ５１を有する。この上下左右キートップ３１〜３４を押圧操作することで機器の操作内容や設定内容を適宜選択した後、中央キートップ５１を押圧操作してその内容を決定するようになっている。
【０００５】
各キートップ３１〜３４は、弾性を有する支持アーム３７により繰り返し押圧操作可能に枠体３６に支持されており、この下面には略柱状の押圧部材３９が下方へ向けて突設されている。また、中央キートップ５１は、複数の支持アーム５７により繰り返し押圧操作可能に枠体５６に支持されており、この下面には略柱状の押圧部材５９が下方へ向けて突設されている。また、各キートップ３１〜３４と中央キートップ５１は互いに上下に重ね合わされて組み立てられている。
【０００６】
カーソルキー２６は、電子回路基板６１に実装される際には、上下左右キートップ３１〜３４に形成された押圧部材３９及び中央キートップ５１に形成された押圧部材５９の下端が、電子回路基板６１に装着されるスイッチ６２にそれぞれ当接あるいは近接されて配置されており、上下左右キートップ３１〜３４及び中央キートップ５１を押圧操作するとスイッチ６２がオンされるようになっている。
【０００７】
【特許文献１】特開２００１−２３６１６４号公報
【発明の開示】
【発明が解決しようとする課題】
【０００８】
しかしながら、上述した従来の入力装置の構造においては、電子回路基板６１に装着される押圧操作用のスイッチ６２が同一の構成であり、上下左右キートップ３１〜３４の押圧操作時の操作感触と、中央キートップ５１の押圧時の操作感触とが同じになるため、ブラインド操作等でカーソルキー２６を見ないで操作する場合には、どのキーを操作しているのかをいちいち確認しなければならず、操作性が悪いものであった。また、カーソルキー２６によって操作されるスイッチ６２もそれぞれ独立した構成となっており、組立時の作業性が煩雑となり、部品点数が増えると共に、装置の小型化が図れないという問題があった。
【０００９】
したがって、本発明では上述した問題点を解決し、ブラインドタッチでの操作を可能として操作性の向上が図れると共に、装置本体の小型化が図れる入力装置を提供することを目的とする。
【課題を解決するための手段】
【００１０】
上記課題を解決するために本発明では第１の解決手段として、中央固定接点と中央可動接点を有し、この中央可動接点が中央押圧操作部を介して押圧駆動される中央スイッチ素子部と、この中央スイッチ素子部を挟んで両側に対向されて配置された周辺固定接点と周辺可動接点を有し、これらの周辺可動接点が周辺押圧操作部を介して押圧駆動される周辺スイッチ素子部と、前記中央スイッチ素子部及び前記周辺スイッチ素子部を保持する共通の基台と、前記中央押圧操作部及び前記周辺押圧操作部を前記基台に押圧操作可能に保持する枠体とを備え、前記中央押圧操作部及び前記周辺押圧操作部を可撓性を有する絶縁性の材料で一体的に形成すると共に、前記周辺押圧操作部に対して前記中央押圧操作部をドーム状に突出させて形成し、前記周辺押圧操作部の押し込み操作量に対して、前記中央押圧操作部の押し込み操作量を大きくすることにより前記中央押圧操作部の押圧時の操作感触と前記周辺押圧操作部の押圧時の操作感触とを異ならせた構成とした。
【００１１】
また、第２の解決手段として、前記中央可動接点を、弾性変位可能な舌片を有する金属平板ばねで形成し、この金属平板ばねを押圧駆動する前記中央押圧操作部を、反転可能なドーム状のクリックばねで形成した構成とした。
また、第３の解決手段として、前記周辺可動接点を、反転可能なドーム状の膨出部を有する金属ドームばねで形成し、この金属ドームばねを前記周辺押圧操作部が押圧駆動する際のクリックばねとした構成とした。
【００１２】
また、第４の解決手段として、前記中央押圧操作部の下面側には、下方へ突出した環状の脚部を形成し、この脚部を前記基台に位置決めすることにより前記周辺押圧操作部を前記基台の適宜位置に保持した構成とした。
また、第５の解決手段として、前記基台には、前記中央押圧操作部が配置された周辺近傍に上方へ延出するガイド突部を形成し、このガイド突部で前記中央押圧操作部を押圧操作する操作つまみの昇降ガイドを行なうようにした構成とした。
【発明の効果】
【００１３】
上述したように、本発明の入力装置は、中央固定接点と中央可動接点を有し、中央可動接点が中央押圧操作部を介して押圧駆動される中央スイッチ素子部と、中央スイッチ素子部を挟んで両側に対向されて配置された周辺固定接点と周辺可動接点を有し、周辺可動接点が周辺押圧操作部を介して押圧駆動される周辺スイッチ素子部と、中央スイッチ素子部及び周辺スイッチ素子部を保持する共通の基台と、中央押圧操作部及び周辺押圧操作部を基台に押圧操作可能に保持する枠体とを備え、中央押圧操作部及び周辺押圧操作部を可撓性を有する絶縁性の材料で一体的に形成すると共に、周辺押圧操作部に対して中央押圧操作部をドーム状に突出させて形成し、周辺押圧操作部の押し込み操作量に対して、中央押圧操作部の押し込み操作量を大きくすることにより中央押圧操作部の押圧時の操作感触と周辺押圧操作部の押圧時の操作感触とを異ならせたことから、基台の同一面上に中央押圧操作部及び周辺押圧操作部を配置しても、互いの操作感触を異ならせたことにより容易にブラインド操作を行なうことができ、操作性を向上させることが可能となる。また、押圧操作部を一体化することで装置の小型化が可能となる。
【００１４】
また、中央可動接点を、弾性変位可能な舌片を有する金属平板ばねで形成し、金属平板ばねを押圧駆動する中央押圧操作部を、反転可能なドーム状のクリックばねで形成したことから、中央押圧操作部の押圧時の操作感触と周辺押圧操作部の押圧時の操作感触との操作感触の違いを簡単に設定でき、誤操作を防止できる。
また、周辺可動接点を、反転可能なドーム状の膨出部を有する金属ドームばねで形成し、金属ドームばねを周辺押圧操作部が押圧駆動する際のクリックばねとしたことから、同様に、中央押圧操作部の押圧時の操作感触と周辺押圧操作部の押圧時の操作感触との操作感触の違いを簡単に設定でき、誤操作を防止できる。
【００１５】
また、中央押圧操作部の下面側には、下方へ突出した環状の脚部を形成し、脚部を基台に位置決めすることにより周辺押圧操作部を基台の適宜位置に保持したことから、中央押圧操作部及び周辺押圧操作部を一体化することで、取付部材を共通にでき、部品点数の削減、及び小型化、組立性の向上が図れる。
また、基台には、中央押圧操作部が配置された周辺近傍に上方へ延出するガイド突部を形成し、ガイド突部で中央押圧操作部を押圧操作する操作つまみの昇降ガイドを行なうようにしたことから、中央押圧操作部の押し込み操作量を大きくしても、操作つまみのがたつきを防止でき、良好な操作感触が得られる。
【発明を実施するための最良の形態】
【００１６】
以下、本発明の一実施例を図１乃至図６に示す。図１は本発明の入力装置の斜視図、図２は入力装置の側面断面斜視図、図３は基台と中央及び周辺スイッチ素子部の配設状態を示す斜視図、図４は基台と中央及び周辺スイッチ素子部の配設状態を示す平面図、図５は基台の平面図、図６は中央及び周辺押圧操作部が形成されたラバーシートを示す斜視図である。
【００１７】
図において、基台１は、合成樹脂などの絶縁材で略方形状に形成されている。この基台１の中央には、略円形の凹溝からなる第１の収納部１ａが設けられおり、この第１の収納部１ａを挟んで両側には同じく円形の凹溝からなる一対の第２の収納部１ｂ、１ｂが設けられている。
【００１８】
また、基台１の中央の上下方向の両端部には、上方へ延出する一対のガイド突部１ｃ、１ｃが対向されて設けられている。このガイド突部１ｃ、１ｃに後述する中央押圧操作部７を押圧操作する図示しない操作つまみがガイドされて昇降されるものとなっている。また、基台１の対向する一側面部には、前記ガイド突部１ｃを挟んで対向する位置に一対の係止突起１ｄ、１ｄが設けられている。この係止突起１ｄ、１ｄに後述する枠体１０の係止凹部１０ｅが係合されるものとなっている。
【００１９】
前記第１の収納部１ａには、導電性の金属板からなる中央固定接点２が一面を表出して配設されている。この中央固定接点２は、中央に設けられた個別接点２ａと、この個別接点２ａの外周に設けられた共通接点２ｂとを有しており、その基部が基台１の内部にインサート成形などの方法で埋設されて一体に形成されている。また、個別接点２ａ及び共通接点２ｂの他端側は、基台１の一側面部から外方へ導出されて接続端子２ｃ、２ｄが形成されている。
【００２０】
第２の収納部１ｂには、同じく導電性の金属板からなる周辺固定接点３が一面を表出して配設されている。この周辺固定接点３は、中央に設けられた個別接点３ａと、この個別接点３ａの外側に設けられた共通接点３ｂとを有しており、同じくその基部が基台１の内部にインサート成形などの方法で埋設されて一体に形成されている。また、個別接点３ａの他端側は、基台１の他の側面部から外方に導出されて接続端子３ｃが形成されており、共通接点３ｂの他端側は、基台１の内部で前記周辺固定接点２の共通接点２ｂと電気的に接続されている。
【００２１】
前記第１の収納部１ａには、弾性を有する導電性の金属平板ばねからなる中央可動接点４が収納されている。この中央可動接点４は、円環状の桟部４ａとこの桟部４ａの中央の開口に一定の角度を持って起立された円状の舌片４ｂとを有しており、桟部４ａが前記中央固定接点２の共通接点２ｂ上に導通されて載置され、舌片４ｂが個別接点２ａと離間されて対峙した状態で配設されている。この中央固定接点２と中央可動接点４とで中央スイッチ素子部が構成されている。
【００２２】
前記第２の収納部１ｂには、同じくドーム状の膨出部を有し弾性を有する導電性の金属ドームばねからなる周辺可動接点５が収納されている。この周辺可動接点５は、ドーム状の下端からなる周縁部５ａと、ドーム状の膨出部の頂部５ｂとを有しており、周縁部５ａが前記周辺固定接点３の共通接点３ｂ上に導通されて載置され、頂部５ｂが個別接点３ａと離間されて対峙した状態で配設されている。この周辺固定接点３と周辺可動接点５とで周辺スイッチ素子部が構成されている。
【００２３】
押圧操作部材６は、シリコーンゴムや可撓性エラストマー樹脂などの可撓性を有する絶縁性の材料からなり、中央にはドーム状に突出した中央押圧操作部７が設けられており、この中央押圧操作部７を挟んで両側には一対の平板状の周辺押圧操作部８が設けられている。また、前記中央押圧操作部７には、ドーム状の側面部を構成する反転可能なスカート部７ａと、このスカート部７ａの上部に設けられた平面状の押圧部７ｂと、この押圧部７ｂの下面から下方へ突出する駆動部７ｃと、スカート部７ａの基部から押圧操作部材６の下面側へ突出する環状の脚部７ｄとが設けられている。
【００２４】
また、前記周辺押圧操作部８には、薄板状の可撓性を有する板面部８ａと、この板面部８ａの中央上部に凸状に設けられた押圧部８ｂと、この押圧部８ｂの下面から下方へ突出する駆動部８ｃとが設けられている。また、前記周辺押圧操作部８の下面の外周及び前記押圧操作部材６の下面の周縁部には、環状の壁部８ｄ、６ａが設けられている。
【００２５】
前記押圧操作部材６は、環状の壁部８ｄ、６ａが前記基台１の上面に当接された状態で基台１上に載置されている。この時、前記中央押圧操作部７の環状の脚部７ｄが、前記基台１に設けられた凹溝からなる第１の収納部１ａの内周部へ収納されており、この脚部７ｄと第１の収納部１ａとで位置決めされることで、周辺押圧操作部８を適宜位置に保持するようになっている。
【００２６】
このように、前記中央押圧操作部７の下面側に、下方へ突出した環状の前記脚部７ｄを形成して、この脚部７ｄを基台１に位置決めすることにより、前記周辺押圧操作部８を基台１の適宜位置に保持するようにしたので、前記中央押圧操作部７及び前記周辺押圧操作部８を一体化することで、取付部材を共通にでき、部品点数の削減、及び小型化、組立性の向上が図れるものとなっている。
【００２７】
また、前記基台１の第１の収納部１ａには、中央押圧操作部７が配置されており、押圧部７ｂから突出された駆動部７ｃが中央可動接点４の舌片４ｂと一定の間隔を保ったまま対向して配設されている。また、一対の第２の収納部１ｂ、１ｂには、周辺押圧操作部８、８が配置されており、押圧部８ｂから突出された駆動部８ｃが周辺可動接点５のドーム状の膨出部の頂部５ｂ上面とわずかに当接した状態で配設されている。
【００２８】
尚、第２の収納部１ｂの上面には、図２に示すように可撓性の樹脂性シート等からなる防塵シート９を配置しても良く、この場合には、この防塵シート９を介して、周辺押圧操作部８の駆動部８ｃと周辺可動接点５のドーム状の膨出部の頂部５ｂ上面とが当接した状態で配設されるものとなる。この場合には、スイッチの接点部への塵埃などの侵入を確実に抑えることができるものとなる。
【００２９】
前記中央押圧操作部７の押圧部７ｂが、電子機器側に設けられた図示しない操作つまみによって押圧された際には、ドーム状のスカート部７ａが撓んで反転することにより押圧操作時のクリック感触が得られるものとなる。そして、一定のストローク押し下げられた後、駆動部７ｃが中央可動接点４の舌片４ｂに当接され、舌片４ｂを中央固定接点２の個別接点２ａと接触させるものとなる。
【００３０】
この時、中央固定接点２の個別接点２ａと共通接点２ｂが、中央可動接点４を介して導通されることにより中央スイッチ素子部がオン状態となり、この検出信号が、接続端子２ｃ、２ｄを介して電子機器側の制御回路（図示せず）に送信されるものとなる。
【００３１】
また、前記周辺押圧操作部８の押圧部８ｂが、同じく電子機器側に設けられた図示しない操作つまみによって押圧された際には、薄板状の板面部８ａが撓んで駆動部８ｃが周辺可動接点５のドーム状の膨出部の頂部５ｂを押圧して、頂部５ｂを周辺固定接点３の個別接点３ａと接触させるものとなっている。この時、周辺可動接点のドーム状の膨出部が反転することにより押圧操作時のクリック感触が得られるものとなる。
【００３２】
また、周辺固定接点３の個別接点３ａと共通接点３ｂが、周辺可動接点５を介して導通されることにより周辺スイッチ素子部がオン状態となり、この検出信号が、接続端子３ｃ、及び２ｄを介して電子機器側の制御回路（図示せず）に送信されるものとなる。
【００３３】
このように、中央押圧操作部７と周辺押圧操作部８とは、押圧操作時の操作感触（クリック感触）が各々異なるように設定されている。そして、中央押圧操作部７の操作感触は、中央押圧操作部７がシリコーンゴムや可撓性エラストマー樹脂などの可撓性を有する絶縁性の材料からなる反転可能なドーム状のクリックばねで形成されており、このクリックばねの反転によってクリック感触が得られるので、反転までの操作ストロークも大きく取れるため、全体的に柔らかいソフトなフィーリングとなっている。
【００３４】
一方、周辺押圧操作部８の操作感触は、周辺押圧操作部８自体は反転せず、周辺可動接点５を、反転可能なドーム状の膨出部を有する金属ドームばねで形成し、この金属ドームばねをクリックばねとして、前記周辺押圧操作部８が押圧駆動する時にこのクリックばねの反転によってクリック感触が得られるので、反転までのストロークが非常に小さいため、全体的に硬いハードなフィーリングとなっている。
【００３５】
このため、中央押圧操作部７と周辺押圧操作部８とを操作する場合に、電子機器等の操作つまみをいちいち目で見て確認することなく、ブラインドタッチでの操作が可能となっている。このように、中央押圧操作部７の押圧時の操作感触と、周辺押圧操作部８の押圧時の操作感触との操作感触の違いを簡単に設定できるので、誤操作を防止できるものとなっている。
【００３６】
また、中央押圧操作部７が配置された前記基台１の第１収納部１ａの周辺近傍には、上方へ延出する一対のガイド突部１ｃ、１ｃが形成されており、このガイド突部１ｃ、１ｃで、中央押圧操作部７を押圧操作する、電子機器等の図示しない操作つまみをガイドして昇降操作を行なうようにしてあるので、中央押圧操作部７の押し込み操作量を大きくしても、操作つまみのがたつきを防止でき、良好な操作感触が得られるものとなっている。
【００３７】
枠体１０は、板状の金属板で形成されており、平板状の上板部１０ａと、この上板部１０ａの両側辺部から垂下された側板部１０ｂを有している。前記上板部１０ａ中央には、方形状の開口部１０ｃが設けられており、この開口部１０ｃを挟んで両側には一対の円形状の開口部１０ｄ、１０ｄが設けられている。また、前記側板部１０ｂには、一対の係止凹部１０ｅ、１０ｅが設けられている。
【００３８】
前記枠体１０は、前記基台１及び押圧操作部材６の上面に嵌着されており、前記側板部１０ｂに設けられた係止凹部１０ｅ、１０ｅが、前記基台１に設けられた係止突起１ｄ、１ｄと係合されて一体的に係合されている。また、前記中央の開口部１０ｃには、一対のガイド突部１ｃ、１ｃとドーム状の中央押圧操作部７が挿通されて配設されており、また、両側の開口部１０ｄ、１０ｄには、周辺押圧操作部８、８の押圧部８ｂ、８ｂが配設されている。
【００３９】
上記構成の入力装置が、電子機器等に実装された際には、図示しない操作つまみが、前記中央押圧操作部７及び周辺押圧操作部８、８の上面側に配設されるものとなっており、これらの操作つまみが押圧された時に、各々の押圧部７ｂ、８ｂ、８ｂを押圧駆動するものとなっている。
【００４０】
図６に示すのは、前記押圧操作部材６に形成された中央押圧操作部７及び周辺押圧操作部８を、各々一体に複数個形成したラバーシートの構成を示している。この場合、一枚のラバーシートに中央押圧操作部７と周辺押圧操作部８を適宜形成するようにしており、このように、それぞれ操作感触の異なる押圧操作部を適宜、複数個形成することにより、電子機器側の種々の操作バラエティーに対応することが可能になる。また、各々の押圧操作部を一体化できるので、装置の小型化が容易に行なえるものとなる。
【００４１】
上記した実施例の構成によれば、前記中央押圧操作部７及び周辺押圧操作部８を、シリコーンゴムや可撓性エラストマーなどの可撓性を有する絶縁性の材料で一体的に形成すると共に、前記周辺押圧操作部８に対して、前記中央押圧操作部７をドーム状に突出させて形成して、前記周辺押圧操作部８の押し込み操作量に対して、前記中央押圧操作部７の押し込み操作量を大きくすることにより、前記中央押圧操作部７の押圧時の操作感触（クリック感触）と、前記周辺押圧操作部８の押圧時の操作感触（クリック感触）とを異ならせるようにしたので、前記基台１の同一面上に前記中央押圧操作部７及び前記周辺押圧操作部８を配置したとしても、互いの操作感触を異ならせたことにより、各々の押圧操作部をいちいち目で見て確認することなしに、容易にブラインド操作を行なうことができるので、操作性を向上させることが可能となっている。また、各々の押圧操作部を一体化することで装置の小型化が可能となっている。
【図面の簡単な説明】
【００４２】
【図１】本発明の入力装置を示す斜視図である。
【図２】本発明の入力装置を示す側面断面斜視図である。
【図３】本発明の基台と中央及び周辺スイッチ素子部の配設状態を示す斜視図である。
【図４】本発明の基台と中央及び周辺スイッチ素子部の配設状態を示す平面図である。
【図５】本発明の基台を示す平面図である。
【図６】本発明の中央及び周辺押圧操作部が形成されたラバーシートを示す斜視図である。
【図７】従来の複合押圧操作型の入力装置を示す側面断面図である。
【図８】従来のカーソルキーを示す平面図である。
【符号の説明】
【００４３】
１：基台
１ａ：第１の収納部
１ｂ：第２の収納部
１ｃ：ガイド突部
１ｄ：係止突起
２：中央固定接点
２ａ：個別接点
２ｂ：共通接点
２ｃ：接続端子
２ｄ：接続端子
３：周辺固定接点
３ａ：個別接点
３ｂ：共通接点
３ｃ：接続端子
４：中央可動接点
４ａ：桟部
４ｂ：舌片
５：周辺可動接点
５ａ：周縁部
５ｂ：頂部
６：押圧操作部材
６ａ：壁部
７：中央押圧操作部
７ａ：スカート部
７ｂ：押圧部
７ｃ：駆動部
７ｄ：脚部
８：周辺押圧操作部
８ａ：板面部
８ｂ：押圧部
８ｃ：駆動部
８ｄ：壁部
９：防塵シート
１０：枠体
１０ａ：上板部
１０ｂ：側板部
１０ｃ：開口部
１０ｄ：開口部
１０ｅ：係止凹部
【図１】
2005174826.tif 000003
【図２】
2005174826.tif 000004
【図３】
2005174826.tif 000005
【図４】
2005174826.tif 000006
【図５】
2005174826.tif 000007
【図６】
2005174826.tif 000008
【図７】
2005174826.tif 000009
【図８】
2005174826.tif 000010